Podtech/llm-jp-corpus-v4-ja_patent huggingface dataset:
【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
リード・チャネルの信号を処理する方法であって、
アナログ入力信号を取得し、
前記アナログ入力信号を少なくとも部分的に等化するために、連続時間領域の中で前記アナログ入力信号をフィルタリングし、
前記フィルタリングされたアナログ入力信号に対してオーバサンプリングされるアナログ・デジタル変換を実行して、所与のビット間隔について前記フィルタリングされたアナログ入力信号に対応する複数のデジタル・サンプルを生成し、
前記デジタル・サンプルのうちの１つまたは複数に対してデータ検出アルゴリズムを実行して、検出された出力を取得することを含む、方法。
【請求項２】
前記デジタル・サンプルのうちの前記１つまたは複数を前記オーバサンプリングに対応するレートでフィルタリングするステップをさらに含む、請求項１に記載の方法。
【請求項３】
前記デジタル・サンプルのうちの少なくとも１つをボーレートでフィルタリングするステップと、前記デジタル・サンプルのうちの少なくとも１つを前記オーバサンプリングに対応するレートでフィルタリングするステップとをさらに含む、請求項１に記載の方法。
【請求項４】
前記フィルタリングするステップのそれぞれが、帯域外雑音を削減する帯域制限フィルタリング、及び符号間干渉を補償するパルス整形フィルタリングのうちの１つまたは複数を含む、請求項３に記載の方法。
【請求項５】
磁気抵抗非対称（ＭＲＡ）補正フィルタを使用して前記アナログ入力信号をフィルタリングするステップをさらに含む、請求項１に記載の方法。
【請求項６】
デジタル磁気抵抗非対称（ＭＲＡ）補正フィルタを使用して前記デジタル・サンプルのうちの前記１つまたは複数をフィルタリングするステップをさらに含む、請求項１に記載の方法。
【請求項７】
前記アナログ入力信号が、前記オーバサンプリングされるアナログ・デジタル変換より前に、帯域外雑音を削減するローパス・コーナ周波数を含む可変利得増幅器を使用してフィルタリングされる、請求項１に記載の方法。
【請求項８】
所与の単位間隔についての前記複数のデジタル・サンプルを、部分的に間隔を空けたデジタル有限インパルス応答フィルタに適用するステップをさらに含む、請求項１に記載の方法。
【請求項９】
前記部分的に間隔を空けたデジタル有限インパルス応答フィルタが、所与の単位間隔についての前記複数のデジタル・サンプルを単一のデジタル・サンプルにダウンサンプリングするための手段をさらに含む、請求項８に記載の方法。
【請求項１０】
前記データ検出アルゴリズムを実行するステップが、前記単一のデジタル・サンプルを雑音予測フィルタに適用するステップをさらに含む、請求項９に記載の方法。
【請求項１１】
前記オーバサンプリングに対応するレートで動作している１つまたは複数のフィードバック・ループに前記検出された出力を適用するステップをさらに含む、請求項８に記載の方法。
【請求項１２】
所与のビット間隔について単一のデジタル・サンプルを生成するために、前記複数のデジタル・サンプルをダウンサンプリングするステップをさらに含む、請求項１に記載の方法。
【請求項１３】
前記ダウンサンプリングが、デジタル・ローパス・フィルタを更に含む統合型デバイスにより実行される、請求項１２に記載の方法。
【請求項１４】
アナログ入力信号を少なくとも部分的に等化するために、連続時間領域の中で前記アナログ入力信号をフィルタリングするためのアナログ・フィルタと、
前記フィルタリングされたアナログ入力信号をデジタル信号に変換するためのオーバサンプリングされるアナログ・デジタル変換器であって、前記デジタル信号が所与のビット間隔について前記フィルタリングされたアナログ入力信号に対応する複数のデジタル・サンプルを含む、アナログ・デジタル変換器と、
前記デジタル・サンプルのうちの１つまたは複数に対してデータ検出アルゴリズムを実行して、検出された出力を取得するためのデータ検出器とを含む、リード・チャネル。
【請求項１５】
前記デジタル・サンプルのうちの前記１つまたは複数を前記オーバサンプリングに対応するレートでフィルタリングするためのデジタル・フィルタをさらに含む、請求項１４に記載のリード・チャネル。
【請求項１６】
前記デジタル・サンプルのうちの少なくとも１つをボーレートでフィルタリングするための、及び前記デジタル・サンプルのうちの少なくとも１つを前記オーバサンプリングに対応するレートでフィルタリングするための少なくとも１つのデジタル・フィルタをさらに含む、請求項１４に記載のリード・チャネル。
【請求項１７】
前記少なくとも１つのデジタル・フィルタが、帯域外雑音を削減する帯域制限フィルタ、及び符号間干渉を補償するパルス整形フィルタの１つまたは複数を含む、請求項１６に記載のリード・チャネル。
【請求項１８】
前記アナログ入力信号をフィルタリングするための磁気抵抗非対称（ＭＲＡ）補正フィルタをさらに含む、請求項１４に記載のリード・チャネル。
【請求項１９】
前記デジタル・サンプルのうちの１つまたは複数をフィルタリングするためのデジタル磁気抵抗非対称（ＭＲＡ）補正フィルタをさらに含む、請求項１４に記載のリード・チャネル。
【請求項２０】
前記複数のデジタル・サンプルを所与の単位間隔についてフィルタリングする、部分的に間隔を空けたデジタル有限インパルス応答フィルタをさらに含む、請求項１４に記載のリード・チャネル。
【請求項２１】
前記部分的に間隔を空けたデジタル有限インパルス応答フィルタが、所与の単位間隔についての前記複数のデジタル・サンプルを単一のデジタル・サンプルにダウンサンプリングするための手段をさらに含む、請求項２０に記載のリード・チャネル。
【請求項２２】
前記データ検出器が、雑音予測フィルタをさらに含む、請求項２１に記載のリード・チャネル。
【請求項２３】
前記検出された出力を処理するための、前記オーバサンプリングに対応するレートで動作している１つまたは複数のフィードバック・ループをさらに含む、請求項２０に記載のリード・チャネル。
【請求項２４】
所与のビット間隔について単一のデジタル・サンプルを生成するために、前記複数のデジタル・サンプルをダウンサンプリングするためのダウンサンプラをさらに含む、請求項１４に記載のリード・チャネル。
【請求項２５】
前記ダウンサンプラが、デジタル・ローパス・フィルタを更に含む統合型デバイスの一部である、請求項２４に記載のリード・チャネル。
【請求項２６】
アナログ入力信号を少なくとも部分的に等化するために、連続時間領域の中で前記アナログ入力信号をフィルタリングするためのアナログ・フィルタと、
前記フィルタリングされたアナログ入力信号をデジタル信号に変換するためのオーバサンプリングされるアナログ・デジタル変換器であって、前記デジタル信号が所与のビット間隔について前記フィルタリングされたアナログ入力信号に対応する複数のデジタル・サンプルを含む、アナログ・デジタル変換器と、
前記デジタル・サンプルのうちの１つまたは複数に対してデータ検出アルゴリズムを実行して、検出された出力を取得するためのデータ検出器とを含む、集積回路。
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
板状に形成された板状部（１１１）の板厚方向に貫通された嵌合孔（１１５）を有する第１部材（１１０）と、
前記第１部材（１１０）の一方の面側に対向配置され、前記嵌合孔（１１５）に向けて延設される延設部（１２２）、および前記延設部（１２２）の先端部（１２２ａ）でフック状に延びる爪部（１２３）を有する第２部材（１２０）とを備え、
前記延設部（１２２）が前記嵌合孔（１１５）を貫通するように挿入されて、前記爪部（１２３）が挿入側とは反対側となる前記嵌合孔（１１５）の周囲の一部に係合されることで、前記第１部材（１１０）と前記第２部材（１２０）とが組付けされる組付け部材であって、
前記延設部（１２２）は、前記第２部材（１２０）の外周部に設けられ、
前記爪部（１２３）は、前記外周部の外側に向けて延びており、
前記板厚方向に投影するように見たときの前記嵌合孔（１１５）の周囲は、前記爪部（１２３）が前記嵌合孔（１１５）に係合される領域の一部分において、前記爪部（１２３）のフック状に延びた爪先端部（１２３ａ）よりも外側に張出す張出し部（１１５ａ）を有しており、
前記張出し部（１１５ａ）には、前記板厚方向に貫通する隙間部（２００）が形成されており、
前記第１部材（１１０）には、前記張出し部（１１５ａ）の張出す先端側において、前記隙間部（２００）と繋がると共に、前記板状部（１１１）の板面方向の縦横に拡がって、前記板厚方向に貫通する除肉部（１１７）が設けられたことを特徴とする組付け部材。
【請求項２】
前記張出し部（１１５ａ）は、前記爪部（１２３）が前記嵌合孔（１１５）に係合される領域の真ん中に配置されていることを特徴とする請求項１に記載の組付け部材。
【請求項３】
前記第１部材（１１０）の他方の面側には、前記板状部（１１１）から一体的に筒状に延びる筒状部（１１６）が形成されており、前記嵌合孔（１１５）は、前記筒状部（１１６）内に繋がるように形成されていることを特徴とする請求項１または請求項２に記載の組付け部材。
【請求項４】
前記延設部（１２２）の前記爪先端部（１２３ａ）とは反対側となる面の一部には、前記嵌合孔（１１５）の内周面に当接するように突出する突出部（１２４）が設けられていることを特徴とする請求項１〜請求項３のいずれか１つに記載の組付け部材。
【請求項５】
前記第１部材（１１０）は、車両用計器のケース（１１０）であり、
前記第２部材（１２０）は、前記ケース（１１０）内に設けられる光源部からの光をユーザ側に導く導光板（１２０）であることを特徴とする請求項１〜請求項４のいずれか１つに記載の組付け部材。
【手続補正２】
【補正対象書類名】明細書
【補正対象項目名】００１０
【補正方法】変更
【補正の内容】
【００１０】
本発明では、板状に形成された板状部（１１１）の板厚方向に貫通された嵌合孔（１１５）を有する第１部材（１１０）と、
第１部材（１１０）の一方の面側に対向配置され、嵌合孔（１１５）に向けて延設される延設部（１２２）、および延設部（１２２）の先端部（１２２ａ）でフック状に延びる爪部（１２３）を有する第２部材（１２０）とを備え、
延設部（１２２）が嵌合孔（１１５）を貫通するように挿入されて、爪部（１２３）が挿入側とは反対側となる嵌合孔（１１５）の周囲の一部に係合されることで、第１部材（１１０）と第２部材（１２０）とが組付けされる組付け部材であって、
延設部（１２２）は、第２部材（１２０）の外周部に設けられ、
爪部（１２３）は、外周部の外側に向けて延びており、
板厚方向に投影するように見たときの嵌合孔（１１５）の周囲は、爪部（１２３）が嵌合孔（１１５）に係合される領域の一部分において、爪部（１２３）のフック状に延びた爪先端部（１２３ａ）よりも外側に張出す張出し部（１１５ａ）を有しており、
張出し部（１１５ａ）には、板厚方向に貫通する隙間部（２００）が形成されており、
第１部材（１１０）には、張出し部（１１５ａ）の張出す先端側において、隙間部（２００）と繋がると共に、板状部（１１１）の板面方向の縦横に拡がって、板厚方向に貫通する除肉部（１１７）が設けられたことを特徴としている。
【手続補正３】
【補正対象書類名】明細書
【補正対象項目名】００１１
【補正方法】変更
【補正の内容】
【００１１】
この発明によれば、嵌合孔（１１５）に張出し部（１１５ａ）を設けるようにしており、爪先端部（１２３ａ）よりも外側となる張出し部（１１５ａ）には、板厚方向に貫通する隙間部（２００）が形成されている。よって、この隙間部（２００）に細い棒状等の工具を挿入して、棒状の工具の先端部にて、爪先端部（１２３ａ）の位置を張出し部（１１５ａ）の張出し方向とは逆方向に移動させることで、容易に爪部（１２３）の係合状態を解除することが可能となる。
そして、除肉部（１１７）によって、隙間部（２００）に連続する広い空間を形成することができるので、使用する細い棒状等の工具の大きさ（例えば、外径寸法）の制約を緩和することができ、取外し作業がより容易になる。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
前面部、背面部、側面部、上面部、底面部に囲まれた空間内に複数のスライドガラスを収容したスライドガラスカセットであって、
前記前面部と前記底面部との間に設けられる、前記スライドガラスカセットに収容された最下段のスライドガラスを印字装置に排出する排出口と、
前記背面部の一部から前記排出口にかけて設けられる、前記最下段のスライドガラスを前記排出口に向けて押し出す押出部が通過する通過口と、を含み、
前記底面部は、前記側面部と接続する部分に、前記最下段のスライドガラスのそれぞれの端を支持する支持部を有する
ことを特徴とするスライドガラスカセット。
【請求項２】
前記スライドガラスカセットにおける前記複数のスライドガラスを収容する容器は、合成樹脂を用いて成型される
ことを特徴とする請求項１に記載のスライドガラスカセット。
【請求項３】
前記上面部と前記複数のスライドガラスとの間に設けられたクッション材をさらに含む
ことを特徴とする請求項１又は２に記載のスライドガラスカセット。
【請求項４】
前記底面部は、前記背面部と接続し、前記最下段のスライドガラスを支持する中央部分を有し、
前記排出口は、前記底面部と前記前面部との間に設けられ、
前記通過口は、前記中央部分の両側に、前記背面部との接続部分から前記排出口に向けて設けられる
ことを特徴とする請求項１乃至３のいずれかに記載のスライドガラスカセット。
【請求項５】
前記支持部は、前記最下段のスライドガラスの短辺となる端をそれぞれ支持し、
前記通過口は、前記支持部の間に位置する
ことを特徴とする請求項１乃至４のいずれかに記載のスライドガラスカセット。
【請求項６】
前記底面部は、前記背面部との接続部分から前記排出口に向けて下向きに傾斜している
ことを特徴とする請求項１乃至５のいずれかに記載のスライドガラスカセット。
【請求項７】
前記背面部、前記側面部、前記上面部、前記底面部が一体に構成され、前記前面部は、前記側面部と係合して、前記複数のスライドガラスを収容する空間を構成する
ことを特徴とする請求項１乃至６のいずれかに記載のスライドガラスカセット。
【請求項８】
前記印字装置に前記スライドガラスカセットを固定するための係合部を有し、
前記係合部は、前記側面部に設けられる
ことを特徴とする請求項１乃至７のいずれかに記載のスライドガラスカセット。
【請求項９】
前面部、背面部、側面部、上面部、底面部に囲まれた空間内に複数のスライドガラスを収容する、合成樹脂により成型されたスライドガラス収容器であって、
前記前面部と前記底面部との間に設けられる、前記スライドガラスカセットに収容された最下段のスライドガラスを印字装置に排出する排出口と、
前記背面部の一部から前記排出口にかけて設けられる、前記最下段のスライドガラスを前記排出口に向けて押し出す押出部が通過する通過口と、を含み、
前記底面部は、前記側面部と接続する部分に、前記最下段のスライドガラスのそれぞれの端を支持する支持部を有する
ことを特徴とするスライドガラス収容器。
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
円筒形状の石英ガラスからなり、
内部歪みが、複屈折量で７０ｎｍ／ｃｍ未満であり、
外周表面における円周方向の周期１０ｍｍ以下のうねりの振幅が、１００ｎｍ未満である円筒基材。
【請求項２】
前記内部歪みが、複屈折量で２０ｎｍ／ｃｍ以下である請求項１記載の円筒基材。
【請求項３】
外周表面における円周方向の周期１０ｍｍ以下のうねりの振幅が、５０ｎｍ以下である請求項１又は２記載の円筒基材。
【請求項４】
前記請求項１乃至３のいずれか１項に記載の円筒基材と、
前記円筒基材の外周表面に複数配列された凹部又は凸部からなる構造体と
を備える原盤。
【請求項５】
前記請求項１乃至３のいずれか１項に記載の円筒基材の外周表面にレジスト層を成膜するレジスト成膜工程と、
前記レジスト層に潜像を形成する露光工程と、
前記潜像が形成されたレジスト層を現像する現像工程と、
前記現像されたレジスト層のパターンをマスクとしてエッチングし、前記円筒基材の外周表面に複数配列された凹部又は凸部からなる構造体を形成するエッチング工程と
を有する原盤の製造方法。
【請求項６】
前記露光工程では、前記レジスト層にレーザ光を照射して潜像を形成する請求項５記載の原盤の製造方法。
【請求項７】
前記露光工程では、熱リソグラフィーにより潜像を形成する請求項６記載の原盤の製造方法。
【請求項８】
前記エッチング工程では、ドライエッチングにより構造体を形成する請求項５乃至７のいずれか１項に記載の原盤の製造方法。
【請求項９】
前記請求項４項に記載の原盤の外周表面に光硬化樹脂層を密着させ、該光硬化樹脂層を硬化させて剥離し、前記原盤の構造体を光硬化樹脂層に転写する光学素子の製造方法。
【手続補正２】
【補正対象書類名】明細書
【補正対象項目名】０００９
【補正方法】変更
【補正の内容】
【０００９】
すなわち、本発明に係る円筒基材は、円筒形状の石英からなり、前記円筒形状の内部歪みが、複屈折量で７０ｎｍ／ｃｍ未満であり、外周表面における円周方向の周期１０ｍｍ以下のうねりの振幅が、１００ｎｍ未満であることを特徴とする。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
ミノドロン酸もしくは製薬学的に許容されるその塩又はその水和物を含有し、ミノドロン酸もしくは製薬学的に許容されるその塩又はその水和物の平均粒子径が1μm以上20μm以下である、高用量経口投与用医薬組成物。
【請求項２】
溶出試験開始後15分後の薬物溶出率が80％以上である、請求項１に記載の高用量経口投与用医薬組成物。
【請求項３】
ミノドロン酸もしくは製薬学的に許容されるその塩又はその水和物を医薬組成物中に0.1重量％以上50重量％以下含有する、請求項１または２に記載の高用量経口投与用医薬組成物。
【請求項４】
ミノドロン酸もしくは製薬学的に許容されるその塩又はその水和物を医薬組成物中に10mg以上1g以下含有する、請求項１乃至３のいずれか一項に記載の高用量経口投与用医薬組成物。
【請求項５】
更に、クロスカルメロースナトリウム、クロスポビドン、カルボキシメチルスターチナトリウムからなる群より選択される１、または２以上の物質を含有する、請求項１乃至４のいずれか一項に記載の高用量経口投与用医薬組成物。
【請求項６】
前記物質の量が、医薬組成物の重量に対して5重量％以上50重量％以下である、請求項５に記載の高用量経口投与用医薬組成物。
【請求項７】
経口投与用医薬組成物が、錠剤である、請求項１乃至６のいずれか一項に記載の高用量経口投与用医薬組成物。
【請求項８】
平均粒子径が1μm以上20μm以下であるミノドロン酸もしくは製薬学的に許容されるその塩又はその水和物を造粒する工程、及び該造粒物に各種添加剤を含み圧縮成型する工程、を含む、請求項１に記載の高用量経口投与用医薬組成物の製造方法。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
（２Ｓ，３Ｒ，４Ｒ，５Ｓ，６Ｒ）−２−［４−クロロ−３−（４−エトキシ−ベンジル）−フェニル］−６−メチルスルファニル−テトラヒドロ−ピラン−３，４，５−トリオール又はその薬学的に許容される塩。
【請求項２】
（２Ｓ，３Ｒ，４Ｒ，５Ｓ，６Ｒ）−２−［４−クロロ−３−（４−エトキシ−ベンジル）−フェニル］−６−メチルスルファニル−テトラヒドロ−ピラン−３，４，５−トリオール又はその薬学的に許容される塩、及び、薬学的に許容される希釈剤又は賦形剤を含む医薬組成物。
【請求項３】
該組成物が代謝性疾患の治療用である、請求項２に記載の医薬組成物。
【請求項４】
代謝性疾患が１型糖尿病である、請求項３に記載の医薬組成物。
【請求項５】
代謝性疾患が２型糖尿病である、請求項３に記載の医薬組成物。
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
遊技者の操作によって遊技領域に対して遊技球を打ち出す発射手段と、
前記遊技領域内に打ち込まれた遊技球を受入可能な始動口と、
前記遊技領域に配置され、所定の開閉手段の動作によって遊技球の受け入れが容易化される大入賞口と、
前記始動口への遊技球の受け入れに基づいて当落判定を行う判定手段と、
前記判定手段による当落判定の結果に基づいて識別図柄の変動時間を決定し、この決定された変動時間に基づき前記識別図柄を変動表示してから停止表示させる識別図柄制御手段と、
前記判定手段による当落判定の結果が当りであることに基づいて前記識別図柄制御手段により識別図柄が停止表示される場合、該識別図柄の停止表示後に生じる所定の待機期間が終了した後に、前記大入賞口での遊技球の受け入れが容易化されるように前記所定の開閉手段の動作にかかる制御を実行しうる当り制御手段と
を備え、
前記当り制御手段は、
前記所定の待機期間を前記遊技領域にて設けられる特定の受入口への遊技球の受け入れがあった旨判断したことに基づいて終了される期間として制御するものであるにもかかわらず、当該所定の待機期間として、
前記識別図柄の停止表示後に開始され、且つ前記特定の受入口への遊技球の受け入れがあったとしても所定時間が経過するまで終了されないように該終了にかかる制御の実行を無効にする、予め定められた長さをもった期間としての第１の閉制御期間、及び
前記第１の閉制御期間の終了後に開始され、且つ前記特定の受入口への遊技球の受け入れに基づく前記終了にかかる制御の実行を有効にして前記特定の受入口への遊技球の受け入れがあったときに終了される、不定の長さをもった期間としての第２の閉制御期間
の２つの閉制御期間を順次発生させる制御を実行可能であって、
さらに、
前記所定の待機期間のうちの前記第２の閉制御期間が発生するまでの間は、前記特定の受入口に向けての球発射を指示する特定の指示表示が行われず、前記所定の待機期間のうちの前記第２の閉制御期間が発生した以降において、前記特定の受入口に向けての球発射を指示する特定の指示表示が行われうる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、
遊技者の操作によって遊技領域に対して遊技球を打ち出す発射手段と、
前記遊技領域内に打ち込まれた遊技球を受入可能な始動口と、
前記遊技領域に配置され、所定の開閉手段の動作によって遊技球の受け入れが容易化される大入賞口と、
前記始動口への遊技球の受け入れに基づいて当落判定を行う判定手段と、
前記判定手段による当落判定の結果に基づいて識別図柄の変動時間を決定し、この決定された変動時間に基づき前記識別図柄を変動表示してから停止表示させる識別図柄制御手段と、
前記判定手段による当落判定の結果が当りであることに基づいて前記識別図柄制御手段により識別図柄が停止表示される場合、該識別図柄の停止表示後に生じる所定の待機期間が終了した後に、前記大入賞口での遊技球の受け入れが容易化されるように前記所定の開閉手段の動作にかかる制御を実行しうる当り制御手段と
を備え、
前記当り制御手段は、
前記所定の待機期間を前記遊技領域にて設けられる特定の受入口への遊技球の受け入れがあった旨判断したことに基づいて終了される期間として制御するものであるにもかかわらず、当該所定の待機期間として、
前記識別図柄の停止表示後に開始され、且つ前記特定の受入口への遊技球の受け入れがあったとしても所定時間が経過するまで終了されないように該終了にかかる制御の実行を無効にする、予め定められた長さをもった期間としての第１の閉制御期間、及び
前記第１の閉制御期間の終了後に開始され、且つ前記特定の受入口への遊技球の受け入れに基づく前記終了にかかる制御の実行を有効にして前記特定の受入口への遊技球の受け入れがあったときに終了される、不定の長さをもった期間としての第２の閉制御期間
の２つの閉制御期間を順次発生させる制御を実行可能であって、
さらに、
前記所定の待機期間のうちの前記第２の閉制御期間が発生するまでの間は、前記特定の受入口に向けての球発射を指示する特定の指示表示が行われず、前記所定の待機期間のうちの前記第２の閉制御期間が発生した以降において、前記特定の受入口に向けての球発射を指示する特定の指示表示が行われうる
ことを要旨とする。
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域と、
前記遊技領域内に打ち込まれた遊技球を受入可能な始動口と、
前記遊技領域に配置され、所定の開閉手段の動作によって遊技球の受け入れが容易化される大入賞口と、
前記始動口への遊技球の受け入れに基づいて当落判定を行う判定手段と、
前記判定手段による当落判定の結果に基づいて識別図柄の変動時間を決定し、この決定された変動時間に基づき前記識別図柄を変動表示してから停止表示させる識別図柄制御手段と、
前記判定手段による当落判定の結果が当りであることに基づいて前記識別図柄制御手段により識別図柄が停止表示される場合、該識別図柄の停止表示後に生じる所定の待機期間が終了した後に、前記大入賞口での遊技球の受け入れが容易化されるように前記所定の開閉手段の動作にかかる制御を実行しうる当り制御手段と、
前記判定手段による当落判定の結果が当りである場合、前記所定の待機期間が終了するまでの期間にわたって該当りが得られたことに応じた待機期間演出にかかる制御を実行しうる演出制御手段と
を備え、
前記当り制御手段は、
前記所定の待機期間を前記遊技領域にて設けられる特定の受入口への遊技球の受け入れがあった旨判断したことに基づいて終了される期間として制御するものであるにもかかわらず、当該所定の待機期間として、
前記識別図柄の停止表示後に開始され、且つ前記特定の受入口への遊技球の受け入れがあったとしても所定時間が経過するまで終了されないように該終了にかかる制御の実行を無効にする、予め定められた長さをもった期間としての第１の閉制御期間、及び
前記第１の閉制御期間の終了後に開始され、且つ前記特定の受入口への遊技球の受け入れに基づく前記終了にかかる制御の実行を有効にして前記特定の受入口への遊技球の受け入れがあったときに終了される、不定の長さをもった期間としての第２の閉制御期間
の２つの閉制御期間を順次発生させる制御を実行可能であり、
前記演出制御手段は、
前記第１の閉制御期間および前記第２の閉制御期間において前記待機期間演出を実行可能な手段、及び
前記特定の受入口への遊技球の受け入れによって前記第２の閉制御期間が終了される場合、前記所定の開閉手段の動作が行われるようになることに応じた特定演出を実行可能な手段
を有しており、
前記所定の待機期間のうちの前記第２の閉制御期間が発生するまでの間に行われている前記待機期間演出については、該待機期間演出がその中途で終了され得ないようにされる一方で、前記所定の待機期間のうちの前記第２の閉制御期間が発生した以降に行われている前記待機期間演出については、遊技者による操作次第で随時終了させて前記特定演出を実行可能としているなかで、
前記所定の待機期間のうちの前記第２の閉制御期間が発生するまでの間は、前記特定の受入口に向けての球発射を指示する特定の指示表示を行わず、前記所定の待機期間のうちの前記第２の閉制御期間が発生した以降において、前記特定の受入口に向けての球発射を指示する特定の指示表示を行いうるようにした
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、
遊技球が打ち込まれる遊技領域と、
前記遊技領域内に打ち込まれた遊技球を受入可能な始動口と、
前記遊技領域に配置され、所定の開閉手段の動作によって遊技球の受け入れが容易化される大入賞口と、
前記始動口への遊技球の受け入れに基づいて当落判定を行う判定手段と、
前記判定手段による当落判定の結果に基づいて識別図柄の変動時間を決定し、この決定された変動時間に基づき前記識別図柄を変動表示してから停止表示させる識別図柄制御手段と、
前記判定手段による当落判定の結果が当りであることに基づいて前記識別図柄制御手段により識別図柄が停止表示される場合、該識別図柄の停止表示後に生じる所定の待機期間が終了した後に、前記大入賞口での遊技球の受け入れが容易化されるように前記所定の開閉手段の動作にかかる制御を実行しうる当り制御手段と、
前記判定手段による当落判定の結果が当りである場合、前記所定の待機期間が終了するまでの期間にわたって該当りが得られたことに応じた待機期間演出にかかる制御を実行しうる演出制御手段と
を備え、
前記当り制御手段は、
前記所定の待機期間を前記遊技領域にて設けられる特定の受入口への遊技球の受け入れがあった旨判断したことに基づいて終了される期間として制御するものであるにもかかわらず、当該所定の待機期間として、
前記識別図柄の停止表示後に開始され、且つ前記特定の受入口への遊技球の受け入れがあったとしても所定時間が経過するまで終了されないように該終了にかかる制御の実行を無効にする、予め定められた長さをもった期間としての第１の閉制御期間、及び
前記第１の閉制御期間の終了後に開始され、且つ前記特定の受入口への遊技球の受け入れに基づく前記終了にかかる制御の実行を有効にして前記特定の受入口への遊技球の受け入れがあったときに終了される、不定の長さをもった期間としての第２の閉制御期間
の２つの閉制御期間を順次発生させる制御を実行可能であり、
前記演出制御手段は、
前記第１の閉制御期間および前記第２の閉制御期間において前記待機期間演出を実行可能な手段、及び
前記特定の受入口への遊技球の受け入れによって前記第２の閉制御期間が終了される場合、前記所定の開閉手段の動作が行われるようになることに応じた特定演出を実行可能な手段
を有しており、
前記所定の待機期間のうちの前記第２の閉制御期間が発生するまでの間に行われている前記待機期間演出については、該待機期間演出がその中途で終了され得ないようにされる一方で、前記所定の待機期間のうちの前記第２の閉制御期間が発生した以降に行われている前記待機期間演出については、遊技者による操作次第で随時終了させて前記特定演出を実行可能としているなかで、
前記所定の待機期間のうちの前記第２の閉制御期間が発生するまでの間は、前記特定の受入口に向けての球発射を指示する特定の指示表示を行わず、前記所定の待機期間のうちの前記第２の閉制御期間が発生した以降において、前記特定の受入口に向けての球発射を指示する特定の指示表示を行いうるようにした
ことを要旨とする。
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
電源が投入されたことに基づいて遊技の実行にかかる制御を実行可能な遊技機であって、
所定の始動条件が成立したことに基づいて当落判定についての遊技制御を行う判定遊技制御手段と、
特定の遊技状況において、遊技領域にて設けられている特定の受入口への遊技球の受け入れがあったとき、前記判定遊技制御手段による当落判定を受けることなしに遊技者に対して利益が付与される制御を実行可能な特殊処理実行手段と、
所定の演出を実行する演出実行手段と
を備え、
前記特定の遊技状況は、前記電源が遮断状態から投入された後のみならず、該遮断状態が発生するよりも前の遊技期間においても現れうるものであり、
前記演出実行手段は、
前記特定の遊技状況にあるときに前記電源が遮断状態になった場合、該電源が遮断状態になるよりも前の期間においては該特定の遊技状況にあることが認識可能とされる特定表示を行いうるのに対し、該遮断状態から電源が投入されたときには、該電源が投入されてから前記判定遊技制御手段による当落判定が行われなくても成立しうる所定の条件が成立するまでの間、前記特定表示を行わず、前記所定の条件が成立した以降に該特定表示が現れるように制御しうる手段
を有しており、
前記特定の遊技状況にあるときに前記電源が遮断状態になり且つ該遮断状態から電源が投入される場合と、前記特定の遊技状況にないときに前記電源が遮断状態になり且つ該遮断状態から電源が投入される場合とのいずれにおいても、該電源が投入されてから前記判定遊技制御手段による当落判定が行われなくても成立しうる所定の条件が成立するまでの間は前記特定表示が行われるときの表示画像とは異なる表示画像が現れうる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、
電源が投入されたことに基づいて遊技の実行にかかる制御を実行可能な遊技機であって、
所定の始動条件が成立したことに基づいて当落判定についての遊技制御を行う判定遊技制御手段と、
特定の遊技状況において、遊技領域にて設けられている特定の受入口への遊技球の受け入れがあったとき、前記判定遊技制御手段による当落判定を受けることなしに遊技者に対して利益が付与される制御を実行可能な特殊処理実行手段と、
所定の演出を実行する演出実行手段と
を備え、
前記特定の遊技状況は、前記電源が遮断状態から投入された後のみならず、該遮断状態が発生するよりも前の遊技期間においても現れうるものであり、
前記演出実行手段は、
前記特定の遊技状況にあるときに前記電源が遮断状態になった場合、該電源が遮断状態になるよりも前の期間においては該特定の遊技状況にあることが認識可能とされる特定表示を行いうるのに対し、該遮断状態から電源が投入されたときには、該電源が投入されてから前記判定遊技制御手段による当落判定が行われなくても成立しうる所定の条件が成立するまでの間、前記特定表示を行わず、前記所定の条件が成立した以降に該特定表示が現れるように制御しうる手段
を有しており、
前記特定の遊技状況にあるときに前記電源が遮断状態になり且つ該遮断状態から電源が投入される場合と、前記特定の遊技状況にないときに前記電源が遮断状態になり且つ該遮断状態から電源が投入される場合とのいずれにおいても、該電源が投入されてから前記判定遊技制御手段による当落判定が行われなくても成立しうる所定の条件が成立するまでの間は前記特定表示が行われるときの表示画像とは異なる表示画像が現れうる
ことを要旨とする。
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
遊技者の操作によって遊技領域に対して遊技球を打ち出す発射手段と、
前記遊技領域内に打ち込まれた遊技球を受入可能な始動口と、
前記遊技領域に配置され、所定の開閉手段の動作によって遊技球の受け入れが容易化される大入賞口と、
前記始動口への遊技球の受け入れに基づいて当落判定を行う判定手段と、
前記判定手段による当落判定の結果に基づいて識別図柄の変動時間を決定し、この決定された変動時間に基づき前記識別図柄を変動表示してから停止表示させる識別図柄制御手段と、
前記判定手段による当落判定の結果が当りであることに基づいて前記識別図柄制御手段により識別図柄が停止表示された場合、前記始動口とは異なる特定の受入口に遊技球が受け入れられるまで遊技が進行されない特殊な遊技期間を発生させる制御を実行可能な遊技非進行制御手段と、
前記遊技非進行制御手段による制御が行われているなかで前記始動口とは異なる特定の受入口に遊技球が受け入れられた場合、前記遊技非進行制御手段による制御を終了させて、前記大入賞口での遊技球の受け入れが容易化されるように所定の開閉手段の動作にかかる制御を実行しうる開閉制御手段と、
前記遊技領域のうちの前記特定の受入口へと向かう経路中における遊技球の通過を検出可能な特定検出手段と、
前記遊技非進行制御手段による制御が行われる場合、前記特定の受入口に遊技球が受け入れられるまで遊技が進行されない前記特殊な遊技期間にあることを示す第一の演出を行いうる第一演出制御手段と、
前記遊技非進行制御手段による制御が行われているなかで前記特定の受入口に遊技球が受け入れられた場合、前記開閉制御手段による制御が実行されることを示す第二の演出を行いうる第二演出制御手段と、
前記第一演出制御手段による制御によって前記第一の演出が行われており、遊技を進行させるべく前記特定の受入口に向けての遊技球の打ち出しが遊技者による操作次第で随時生じうる状況にあるとき、前記特定検出手段による遊技球の通過にかかる検出があった旨判断することに基づいて、前記特定の受入口に遊技球が受け入れられたときに行われる前記第二の演出との間で演出上の繋がりを持たせた演出を、該判断の対象とされた遊技球が前記特定の受入口に未だ到達していない段階から開始可能とするように制御する特殊演出制御手段と
を備え、
前記特定の受入口は、前記遊技領域のうち前記特定検出手段により検出された遊技球が必ずしも受け入れられない位置にて設けられる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、
遊技者の操作によって遊技領域に対して遊技球を打ち出す発射手段と、
前記遊技領域内に打ち込まれた遊技球を受入可能な始動口と、
前記遊技領域に配置され、所定の開閉手段の動作によって遊技球の受け入れが容易化される大入賞口と、
前記始動口への遊技球の受け入れに基づいて当落判定を行う判定手段と、
前記判定手段による当落判定の結果に基づいて識別図柄の変動時間を決定し、この決定された変動時間に基づき前記識別図柄を変動表示してから停止表示させる識別図柄制御手段と、
前記判定手段による当落判定の結果が当りであることに基づいて前記識別図柄制御手段により識別図柄が停止表示された場合、前記始動口とは異なる特定の受入口に遊技球が受け入れられるまで遊技が進行されない特殊な遊技期間を発生させる制御を実行可能な遊技非進行制御手段と、
前記遊技非進行制御手段による制御が行われているなかで前記始動口とは異なる特定の受入口に遊技球が受け入れられた場合、前記遊技非進行制御手段による制御を終了させて、前記大入賞口での遊技球の受け入れが容易化されるように所定の開閉手段の動作にかかる制御を実行しうる開閉制御手段と、
前記遊技領域のうちの前記特定の受入口へと向かう経路中における遊技球の通過を検出可能な特定検出手段と、
前記遊技非進行制御手段による制御が行われる場合、前記特定の受入口に遊技球が受け入れられるまで遊技が進行されない前記特殊な遊技期間にあることを示す第一の演出を行いうる第一演出制御手段と、
前記遊技非進行制御手段による制御が行われているなかで前記特定の受入口に遊技球が受け入れられた場合、前記開閉制御手段による制御が実行されることを示す第二の演出を行いうる第二演出制御手段と、
前記第一演出制御手段による制御によって前記第一の演出が行われており、遊技を進行させるべく前記特定の受入口に向けての遊技球の打ち出しが遊技者による操作次第で随時生じうる状況にあるとき、前記特定検出手段による遊技球の通過にかかる検出があった旨判断することに基づいて、前記特定の受入口に遊技球が受け入れられたときに行われる前記第二の演出との間で演出上の繋がりを持たせた演出を、該判断の対象とされた遊技球が前記特定の受入口に未だ到達していない段階から開始可能とするように制御する特殊演出制御手段と
を備え、
前記特定の受入口は、前記遊技領域のうち前記特定検出手段により検出された遊技球が必ずしも受け入れられない位置にて設けられる
ことを要旨とする。
【手続補正書】
【提出日】平成27年7月29日(2015.7.29)
【手続補正１】
【補正対象書類名】明細書
【補正対象項目名】００１４
【補正方法】変更
【補正の内容】
【００１４】
本発明においては、酸化チタン１％〜１０％、好ましくは４％〜９％と、過炭酸ナトリウム４５％〜８５％、好ましくは４５％〜７５％と、金属石鹸１０〜５０％、好ましくは１５％〜３０％とを必須成分として含有し、必要に応じてその他の添加物が加えられた固体混合物を金型などに充填し、加熱圧縮して廃水浄化材に成型する。固体混合物としては粉末や顆粒の状態として用いられ、予め各成分を粉末又は顆粒としたものをミキサーで混合してもよいし、各成分を粉砕しながら混合して粉末や顆粒の固体混合物としてもよい。この場合、酸化チタンや過炭酸ナトリウムの含有量が夫々の下限である１％、４５％未満であると廃水浄化機能が低下して好ましくない。また、金属石鹸の含有量が１０％未満では成型された廃水浄化材の水中での形状維持力が低下し、成分の過炭酸ナトリウムが溶出し、短時間でその形状が崩壊してしまい、廃水浄化材としての機能が発揮できない。一方、金属石鹸の含有量が５０％を超えた場合には、有機性油分や汚泥に対する酸化分解機能が低下して好ましくない。
【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
表面に吸着層が形成された複数の基板を用意し、
前記複数の基板のそれぞれの吸着層の表面に疵を付け、前記複数の基板を梱包容器に積層して収納することを特徴とする吸着層付き基板の梱包方法。
【請求項２】
前記疵は、ロールブラシによって形成された疵である請求項１に記載の吸着層付き基板の梱包方法。
【請求項３】
前記基板は、厚さが０．７ｍｍ以下のガラス板である請求項１又は２に記載の吸着層付き基板の梱包方法。
【請求項４】
前記吸着層は、シリコーン樹脂又はポリイミド樹脂からなる請求項１、２又は３に記載の吸着層付き基板の梱包方法。
【請求項５】
表面に吸着層が形成された基板であって、前記吸着層に疵を付ける処理作業によって前記吸着層の表面に疵が付けられた複数の基板と、前記複数の基板を積層して収納する梱包容器とを備えたことを特徴とする梱包体。
【請求項６】
前記梱包容器に収納される前記複数の基板は、基板の表面及び裏面が同じ向きに積層される請求項５に記載の梱包体。
【請求項７】
前記基板は、厚さが０．７ｍｍ以下のガラス板である請求項５または６に記載の梱包体。
【請求項８】
前記吸着層は、アクリル樹脂、ポリオレフィン樹脂、ポリウレタン樹脂、ポリイミド樹脂、シリコーン樹脂、もしくはポリイミドシリコーン樹脂からなる有機膜、またはメタルシリサイド、窒化物、炭化物、及び炭窒化物からなる群から選択される少なくとも１種を含む無機膜である請求項７に記載の梱包体。
【請求項９】
吸着層が表面に形成された基板の前記吸着層に引っ掻き疵を付ける疵付与手段と、
前記疵付与手段を前記基板の前記吸着層に押圧当接させ、前記疵付与手段及び前記基板を前記吸着層に沿って相対移動させる移動手段と、
前記疵付与手段によって引っ掻き疵が付けられた前記基板を、梱包容器に収納する収納手段と、
を備えたことを特徴とする吸着層付き基板の梱包装置。
【請求項１０】
前記疵付与手段は、回転自在なロール状ブラシ部材であり、前記移動手段は、前記基板の裏面が載置されて前記基板を前記吸着層に沿って移動させるコンベアである請求項９に記載の吸着層付き基板の梱包装置。
【手続補正２】
【補正対象書類名】明細書
【補正対象項目名】０００８
【補正方法】変更
【補正の内容】
【０００８】
本発明の吸着層付き基板の梱包方法の一態様は、前記目的を達成するために、表面に吸着層が形成された複数の基板を用意し、前記複数の基板のそれぞれの吸着層の表面に疵を付け、前記複数の基板を梱包容器に積層して収納することを特徴とする。
【手続補正３】
【補正対象書類名】明細書
【補正対象項目名】００１２
【補正方法】変更
【補正の内容】
【００１２】
本発明の一態様は、前記疵は、ロールブラシによって形成された疵であることが好ましい。 
【手続補正４】
【補正対象書類名】明細書
【補正対象項目名】００１８
【補正方法】変更
【補正の内容】
【００１８】
本発明の梱包体は、前記目的を達成するために、表面に吸着層が形成された基板であって、前記吸着層に疵を付ける処理作業によって前記吸着層の表面に疵が付けられた複数の基板と、前記複数の基板を積層して収納する梱包容器とを備えたことを特徴とする。
【手続補正５】
【補正対象書類名】明細書
【補正対象項目名】００２１
【補正方法】変更
【補正の内容】
【００２１】
本発明の一態様によれば、隣接する２枚の基板は、一方の基板の裏面と他方の基板の吸着層とが接触する。よって、基板の裏面同士の接触を防止できるので、基板の損傷を防止できる。本発明の一態様は、基板がガラス板の場合に好適である。
本発明の一態様は、前記基板は、厚さが０．７ｍｍ以下のガラス板であることが好ましい。
本発明の一態様は、前記吸着層は、アクリル樹脂、ポリオレフィン樹脂、ポリウレタン樹脂、ポリイミド樹脂、シリコーン樹脂、もしくはポリイミドシリコーン樹脂からなる有機膜、またはメタルシリサイド、窒化物、炭化物、及び炭窒化物からなる群から選択される少なくとも１種を含む無機膜であることが好ましい。
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
荷物、特に個別の物品を受け止めるための荷物受面を有し、
前記荷物受面は、固定手段（３３、１３３）に結合することができるとともに荷物受面上でグリッド状に分布される複数の受止手段（９、１１、１３、２７）を有し、
前記荷物受面は、積荷室の床、及び／又は、１又は複数の板状の床部材（７、２５、２９）を含み、
前記床部材（７、２５、２９）を、それぞれ複数個所で積荷室内又は積荷室上で異なる高さで独立して配置することができ、かつ、船のクレーン（２１）によって船内及び船外に移動することができることを特徴とする船（１）。
【請求項２】
第１方向（１５）に隣接する前記受止手段（９、１１、１３、２７）間の（第１方向の）間隔（複数）、及び／又は、第２方向（１７）に隣接する前記受止手段（９、１１、１３、２７）間の（第２方向の）間隔（複数）は、同じであることを特徴とする請求項１記載の船（１）。
【請求項３】
第１方向（１５）に隣接する前記受止手段（９、１１、１３、２７）間の（第１方向の）間隔（複数）、及び／又は、第２方向（１７）に隣接する前記受止手段（９、１１、１３、２７）間の（第２方向の）間隔（複数）は、繰り返しパターンに応じて異なっていることを特徴とする請求項１又は２記載の船（１）。
【請求項４】
第１方向（１５）に隣接する前記受止手段（１３、２７）は、２０〜３５ｃｍ、又は、５８〜７３ｃｍ、又は、１１５〜１３０ｃｍ、又は、１６０〜１７５ｃｍの範囲内で互いに離間し、
及び／又は、
第２方向（１７）に隣接する前記受止手段（１３、２７）は、１８〜３３ｃｍ、又は、２１８〜２３３ｃｍの範囲内で互いに離間していることを特徴とする請求項１乃至３のいずれか一に記載の船（１）。
【請求項５】
前記荷物受面は、前記固定手段（３３）に結合することができるとともに前記荷物受面上で第２グリッド状に分布される複数の第２受止手段（１１）を有することを特徴とする請求項１乃至４のいずれか一に記載の船（１）。
【請求項６】
第１方向（１５）に隣接する前記第２受止手段（１１）間の（第１方向の）間隔（複数）、及び／又は、第２方向（１７）に隣接する前記第２受止手段（１１）間の（第２方向の）間隔（複数）は、同じであるか、又は、繰り返しパターンに応じて異なっていることを特徴とする請求項５に記載の船（１）。
【請求項７】
第１方向（１５）に隣接する前記第２受止手段（１１）は、２１８〜２３３ｃｍ、又は、３６０〜３８５ｃｍの範囲で互いに離間し、
及び／又は、
第２方向（１７）に隣接する前記第２受止手段（１１）は、１１.９〜１２.１ｍの範囲内で互いに離間していること、を特徴とする請求項５又は６に記載の船（１）。
【請求項８】
前記荷物受面は、荷物受面上で第３グリッド状に分布される固定手段（１３３）に結合可能な複数の第３受止手段（９）を有することを特徴とする請求項１乃至７のいずれか一に記載の船（１）。
【請求項９】
第１方向（１５）に隣接する前記第３受止手段（９）間の（第１方向の）間隔（複数）、及び／又は、第２方向（１７）に隣接する前記第３受止手段（９）間の（第２方向の）間隔（複数）は、同じであるか、又は、繰り返しパターンに応じて異なっていることを特徴とする請求項８に記載の船（１）。
【請求項１０】
第１方向（１５）に隣接する前記第３受止手段（９）は、２０〜３５ｃｍ、又は、９８〜１１３ｃｍ、又は、２１８〜２３３ｃｍ、又は、５.８〜５.９ｍの範囲内で互いに離間し、
及び／又は
第２方向（１７）に隣接する前記第３受止手段（９）は、２１８〜２３３ｃｍの範囲内で互いに離間していることを特徴とする請求項８又は９に記載の船（１）。
【請求項１１】
第１方向（１５）及び／又は第２方向（１７）の第１受止手段（１３、２７）、第２受止手段（１１）、又は、第３受止手段（９）間の（第１方向及び／又は第２方向の）間隔の整数倍は、５.８〜５.９ｍ、又は、１１.９〜１２.１ｍの範囲内であることを特徴とする請求項１乃至１０のいずれか一に記載の船（１）。
【請求項１２】
船の荷物受面の一部を形成できるように構成され、固定手段に結合可能であり、かつ、荷物受面上でグリッド状に分布した複数の受止手段を有し、
前記固定手段は、鳩尾形挿入部材を有し、
前記受止手段は、前記鳩尾形挿入部材の挿入を受け止めるように適合される突起を有し、
前記鳩尾形挿入部材は、所定の方向から前記突起に挿入され、
前記受止手段は、互いに対をなす第１受止手段と第２受止手段とを有し、
前記固定手段は、前記第１受止手段に結合可能な第１固定手段と、前記第２受止手段に結合可能な第２固定手段と、を有し、
前記第１固定手段の前記鳩尾形挿入部材は、第１の方向から前記第１受止手段の前記突起に挿入され、
前記第２固定手段の前記鳩尾形挿入部材は、前記第１の方向とは異なる又は反対の第２の方向から前記第２受止手段の前記突起に挿入され、
互いに対向して配置された前記第１固定手段及び前記第２固定手段は、固定確保部材によって係合されることを特徴とする船用の床部材（７、２５、２９）。